(57)【特許請求の範囲】
【請求項１】
フッ化ビニリデン、パーフルオロビニルエーテル、テトラフルオロエチレンから成る３元系フッ素ゴムポリマーと、
シリカ‐ケイ酸アルミニウムのビニルエトキシシラン反応物とを含有し、
酸化マグネシウム及び水酸化カルシウムを実質的に含有せず、
前記３元系フッ素ゴムポリマー１００重量部に対して、前記シリカ‐ケイ酸アルミニウムのビニルエトキシシラン反応物を８〜６０重量部含有することを特徴とするフッ素ゴム組成物。
【請求項２】
フッ化ビニリデン、パーフルオロビニルエーテル、テトラフルオロエチレンから成る３元系フッ素ゴムポリマーと、
シリカ‐ケイ酸アルミニウムのビニルエトキシシラン反応物と、
ハイドロタルサイトとを含有し、
酸化マグネシウム及び水酸化カルシウムを実質的に含有せず、
前記３元系フッ素ゴムポリマー１００重量部に対して、前記シリカ‐ケイ酸アルミニウムのビニルエトキシシラン反応物を２〜５５重量部、前記ハイドロタルサイトを０．５〜１０重量部含有することを特徴とするフッ素ゴム組成物。
【請求項３】
前記３元系フッ素ゴムポリマーは、フッ素含有量が６４〜６７重量％であることを特徴とする請求項１又は２記載のフッ素ゴム組成物。
【請求項４】
請求項１〜３の何れかに記載のフッ素ゴム組成物を架橋してなることを特徴とするフッ素ゴム架橋体。
【発明の詳細な説明】
【技術分野】
【０００１】
本発明は、フッ素ゴム組成物及びフッ素ゴム架橋体に関し、より詳しくは、スチーム環境下での圧縮永久歪みに優れ、スチーム環境下での硬さ変化が防止され、且つ接着性に優れるフッ素ゴム組成物及びフッ素ゴム架橋体に関する。
【背景技術】
【０００２】
従来、内燃機関の燃焼室より排出される排気ガスの一部を内燃機関の吸気系に再循環させる排気再循環（Exhaust Gas Recirculation；ＥＧＲ）バルブが知られている（特許文献１）。【０００３】
ＥＧＲバルブには、前記排気ガス（ＥＧＲガスともいう）の漏れを防止するためのオイルシールが設けられる。【０００４】
ＥＧＲバルブの内部は、排気ガスや凝縮水に接触する過酷な環境となることから、上述したオイルシールには、耐熱、耐薬品性に優れたフッ素ゴムが使用されている。【０００５】
また、上述したオイルシールは、蒸気にもさらされることから、耐スチーム性も要求される。一般にポリオール架橋されたフッ素ゴムは、受酸剤として配合するＭｇＯに起因して、耐スチーム性に劣る。そのため、スチーム環境ではパーオキサイド架橋系のフッ素ゴムが使用される。
【先行技術文献】
【特許文献】
【０００６】
【特許文献１】特開２０１５−１２４６４０号公報
【特許文献２】ＷＯ２００６／００６４６８（フッ素ゴム組成物）
【発明の概要】
【発明が解決しようとする課題】
【０００７】
パーオキサイド加硫系のフッ素ゴムにおいては、接着性を向上させるために金属酸化物が使用されているが、それが起因して、スチーム環境での硬化劣化、およびオイルシールのへたり（圧縮永久ひずみ低下）が発生する。【０００８】
よって、従来のフッ素ゴム組成物においては、スチーム環境下での圧縮永久歪みに優れ、スチーム環境下での硬さ変化が防止され、且つ接着性に優れるものが望まれた。【０００９】
そこで本発明の課題は、スチーム環境下での圧縮永久歪みに優れ、スチーム環境下での硬さ変化が防止され、且つ接着性に優れるフッ素ゴム組成物及びフッ素ゴム架橋体を提供することにある。【００１０】
また本発明の他の課題は、以下の記載によって明らかとなる。
【課題を解決するための手段】
【００１１】
上記課題は、以下の各発明によって解決される。【００１２】
１．
フッ化ビニリデン、パーフルオロビニルエーテル、テトラフルオロエチレンから成る３元系フッ素ゴムポリマーと、
シリカ‐ケイ酸アルミニウムのビニルエトキシシラン反応物とを含有し、
酸化マグネシウム及び水酸化カルシウムを実質的に含有せず、
前記３元系フッ素ゴムポリマー１００重量部に対して、前記シリカ‐ケイ酸アルミニウムのビニルエトキシシラン反応物を８〜６０重量部含有することを特徴とするフッ素ゴム組成物。
２．
フッ化ビニリデン、パーフルオロビニルエーテル、テトラフルオロエチレンから成る３元系フッ素ゴムポリマーと、
シリカ‐ケイ酸アルミニウムのビニルエトキシシラン反応物と、
ハイドロタルサイトとを含有し、
酸化マグネシウム及び水酸化カルシウムを実質的に含有せず、
前記３元系フッ素ゴムポリマー１００重量部に対して、前記シリカ‐ケイ酸アルミニウムのビニルエトキシシラン反応物を２〜５５重量部、前記ハイドロタルサイトを０．５〜１０重量部含有することを特徴とするフッ素ゴム組成物。
３．
前記３元系フッ素ゴムポリマーは、フッ素含有量が６４〜６７重量％であることを特徴とする前記１又は２記載のフッ素ゴム組成物。
４．
前記１〜３の何れかに記載のフッ素ゴム組成物を架橋してなることを特徴とするフッ素ゴム架橋体。
【発明の効果】
【００１３】
本発明によれば、スチーム環境下での圧縮永久歪みに優れ、スチーム環境下での硬さ変化が防止され、且つ接着性に優れるフッ素ゴム組成物及びフッ素ゴム架橋体を提供することができる。
【発明を実施するための形態】
【００１４】
以下に、本発明を実施するための形態について詳しく説明する。
【００１５】
まず、本発明の第１態様に係るフッ素ゴム組成物について説明する。
【００１６】
第１態様に係るフッ素ゴム組成物は、フッ化ビニリデン、パーフルオロビニルエーテル、テトラフルオロエチレンから成る３元系フッ素ゴムポリマーと、シリカ‐ケイ酸アルミニウムのビニルエトキシシラン反応物とを含有し、酸化マグネシウム及び水酸化カルシウムを実質的に含有しない。
【００１７】
ここで、フッ素ゴム組成物が酸化マグネシウム及び水酸化カルシウムを実質的に含有しないというのは、酸化マグネシウム及び水酸化カルシウムを含有しないか、これらの合計の含有量が、３元系フッ素ゴムポリマー１００重量部に対して、０．１重量部以下、好ましくは０．０５重量部以下であることである。
【００１８】
第１態様に係るフッ素ゴム組成物は、前記３元系フッ素ゴムポリマー１００重量部に対して、前記シリカ‐ケイ酸アルミニウムのビニルエトキシシラン反応物を８〜６０重量部、好ましくは１０〜５０重量部含有する。
【００１９】
これにより、スチーム環境下での圧縮永久歪みに優れ、スチーム環境下での硬さ変化が防止され、且つ接着性に優れる効果が得られる。
【００２０】
３元系フッ素ゴムポリマーは、本発明の効果を顕著に発揮する観点で、フッ素含有量が６４〜６７重量％であることが好ましい。
【００２１】
３元系フッ素ゴムポリマーにおける重合成分であるパーフルオロビニルエーテルは、一般式ＣＦ２＝ＣＦＯＲｆ（式中、Ｒｆは炭素数１〜１０のパーフルオロアルキル基を表す）で表すことができる。前記炭素数１〜１０のパーフルオロアルキル基としては、例えばパーフルオロメチル基等が挙げられる。
【００２２】
３元系フッ素ゴムポリマーは、パーオキサイド架橋可能であることが好ましく、架橋サイトとして分子中にヨウ素及び／又は臭素を含有するものであることが好ましい。
【００２３】
このような３元系フッ素ゴムポリマーとして、例えば、デュポン社製「バイトンＧＬＴ６００Ｓ」（フッ素含有量６４重量％）、「バイトンＧＴＬ２００Ｓ」（フッ素含有量６４重量％）、ソルベイソレクシス社製「テクノフロンＰＬ８５５」（フッ素含有量６４重量％）等の市販品を用いてもよい。３元系フッ素ゴムポリマーは、２種以上を混合して用いてもよい。
【００２４】
シリカ‐ケイ酸アルミニウムのビニルエトキシシラン反応物は、シリカ‐ケイ酸アルミニウムと、ビニルエトキシシランとを反応させて得られる反応物であれば格別限定されない。シリカ‐ケイ酸アルミニウムとして、例えば、ホフマンミネラル社製「シチリンＺ８６」等の市販品を用いてもよい。また、シリカ‐ケイ酸アルミニウムのビニルエトキシシラン反応物として、例えば、ホフマンミネラル社製「アクチジルＶＭ」等の市販品を用いてもよい。
【００２５】
次に、本発明の第２態様に係るフッ素ゴム組成物について説明する。
【００２６】
第２態様に係るフッ素ゴム組成物は、フッ化ビニリデン、パーフルオロビニルエーテル、テトラフルオロエチレンから成る３元系フッ素ゴムポリマーと、シリカ‐ケイ酸アルミニウムのビニルエトキシシラン反応物と、ハイドロタルサイトとを含有し、酸化マグネシウム及び水酸化カルシウムを実質的に含有しない。
【００２７】
第２態様に係るフッ素ゴム組成物は、前記３元系フッ素ゴムポリマー１００重量部に対して、前記シリカ‐ケイ酸アルミニウムのビニルエトキシシラン反応物を２〜５５重量部、好ましくは３〜５０重量部含有し、前記ハイドロタルサイト類を０．５〜１０重量部、好ましくは１〜９重量部含有する。
【００２８】
これにより、スチーム環境下での圧縮永久歪みに優れ、スチーム環境下での硬さ変化が防止され、且つ接着性に優れる効果が得られる。
【００２９】
第２態様に用いられる３元系フッ素ゴムポリマー及びシリカ‐ケイ酸アルミニウムのビニルエトキシシラン反応物については、第１態様についてした説明を援用することができる。
【００３０】
第２態様に用いられるハイドロタルサイトとしては、例えば、Ｍｇ４．３Ａｌ２（ＯＨ）１２．６ＣＯ３・ｍＨ２Ｏ、Ｍｇ６Ａｌ２（ＯＨ）１６ＣＯ３・４Ｈ２Ｏ、Ｍｇ４．５Ａｌ２（ＯＨ）１３ＣＯ３・３．５Ｈ２Ｏ等が挙げられる。ハイドロタルサイト類として、例えば、協和化学工業社製「ＤＨＴ−４Ａ」等の市販品を用いてもよい。
【００３１】
以上に説明した第１態様又は第２態様に係るフッ素ゴム組成物は、パーオキサイド架橋して用いられることが好ましい。
【００３２】
パーオキサイド架橋には、有機過酸化物架橋剤を好ましく用いることができる。
【００３３】
有機過酸化物架橋剤は格別されず、例えば２，５−ジメチル−２，５−ジ（ｔ−ブチルパーオキシ）ヘキサン等が挙げられる。
【００３４】
有機過酸化物架橋剤は、３元系フッ素ゴムポリマー１００重量部に対して、０．５〜５重量部の割合で用いることが好ましく、１〜３重量部の割合で用いられることが更に好ましい。
【００３５】
フッ素ゴム架橋体には、以上に説明した成分以外に、ゴムの一般的な配合剤として用いられている架橋助剤、ホワイトカーボン等の補強剤、ＭＴカーボンブラックやＦＥＦカーボンブラック等のカーボンブラック、グラファイト等の充填剤、ステアリン酸、パルミチン酸、パラフィンワックス等の加工助剤、老化防止剤、可塑剤、酸化亜鉛等を本発明の目的を損なわない範囲で適宜添加してもよい。
【００３６】
本発明のフッ素ゴム架橋体は、以上に説明したフッ素ゴム組成物を架橋してなる。架橋は、上述したようにパーオキサイド架橋であることが好ましい。本発明のフッ素ゴム架橋体によれば、スチーム環境下での圧縮永久歪みに優れ、スチーム環境下での硬さ変化が防止され、且つ接着性に優れる効果が得られる。
【００３７】
フッ素ゴム架橋体を製造する好ましい方法においては、まず、フッ素ゴム組成物の各成分をニーダ、インターミックス、バンバリーミキサ等の密閉式混練機又はオープンロールを用いて混練する。次いで、混練物をシート状に分出するか、あるいは押出機、バウエル装置等を用いて所定の形状にする。次いで、圧縮プレス、注入成形機、射出成形機等を用いて、所定温度（好ましくは１００〜１８０℃）で所定時間（好ましくは１〜３０分間）、架橋成形する。更に、所定温度（好ましくは２００〜２２０℃）で所定時間（好ましくは１〜１０時間）、エアオーブン等を用いて二次架橋することができる。
【００３８】
本発明のフッ素ゴム架橋体は、各種シール部材、特にＥＧＲバルブ用オイルシールとして好適に用いられる。本発明のフッ素ゴム架橋体からなるＥＧＲバルブ用オイルシールは、スチーム環境下での圧縮永久歪みに優れ、スチーム環境下での硬さ変化が防止され、且つ接着性に優れるため、ＥＧＲバルブの過酷な環境下において良好なシールを達成することができる。
【実施例】
【００３９】
以下に、本発明の実施例について説明するが、本発明はかかる実施例により限定されない。【００４０】
以下は、第１態様に関する例証である。【００４１】
（実施例１）
１．フッ素ゴム組成物の調製
下記３元系フッ素ゴムポリマーＣ  １００重量部に、シリカ‐ケイ酸アルミニウムのビニルエトキシシラン反応物（ホフマンミネラル社製「アクチジルＶＭ」）１０重量部と、ＭＴカーボンブラック（ＣＡＮＣＡＲＢ  ＬＩＭＩＴＥＤ社製「ＴＨＥＲＭＡＸ  Ｎ−９９０ＬＳＲ」）３重量部、酸化亜鉛（ＪＩＳ規格「１種」該当品質）０．１重量部を配合し、更に、有機価酸化物架橋剤（２，５−ジメチル−２，５−ジ（ｔ−ブチルパーオキシ）ヘキサン）（日本油脂社製「パーヘキサ２５Ｂ−４０」）２重量部と共に所定の配合剤を配合して混練し、未架橋のフッ素ゴム組成物を得た。【００４２】
・３元系フッ素ゴムポリマーＡ：フッ化ビニリデン、パーフルオロビニルエーテル、テトラフルオロエチレンから成る３元系フッ素ゴムポリマー；フッ素含有量６４重量％（デュポン社製「バイトンＧＬＴ６００Ｓ」）
・３元系フッ素ゴムポリマーＢ：フッ化ビニリデン、パーフルオロビニルエーテル、テトラフルオロエチレンから成る３元系フッ素ゴムポリマー；フッ素含有量６４重量％（デュポン社製「バイトンＧＴＬ２００Ｓ」）
・３元系フッ素ゴムポリマーＣ：フッ化ビニリデン、パーフルオロビニルエーテル、テトラフルオロエチレンから成る３元系フッ素ゴムポリマー；フッ素含有量６４重量％（ソルベイソレクシス社製「テクノフロンＰＬ８５５」）【００４３】
２．試験片の作製
上記フッ素ゴム組成物を用いて、接着性評価用の試験片、スチーム環境下での圧縮永久歪み評価用の試験片、スチーム環境下での硬さ変化防止評価用の試験片を、以下の方法により作製した。【００４４】
（１）接着性評価用の試験片
上記フッ素ゴム組成物をφ８５ｍｍのオイルシールの形状に成形し、これを鋼板に対して１８０℃で３分間プレス架橋接着することによって、接着性評価用の試験片を得た。【００４５】
（２）スチーム環境下での圧縮永久歪み評価用の試験片
上記フッ素ゴム組成物を線径３．１ｍｍのＯリングの形状に成形し、これを１８０℃で３分間プレス架橋し、その後、２００℃の雰囲気下で５時間保持することによって、スチーム環境下での圧縮永久歪み評価用の試験片を得た。【００４６】
（３）スチーム環境下での硬さ変化防止評価用の試験片
上記フッ素ゴム組成物を２ｍｍ厚のシートに成形し、これを１８０℃で３分間プレス架橋し、その後、２００℃の雰囲気下で５時間保持することによって、スチーム環境下での硬さ変化防止評価用の試験片を得た。【００４７】
３．評価方法
（１）接着性
上記接着性評価用の試験片において、接着されているオイルシールをペンチで剥離し、ゴムが残留した面積率として、Ｒ残率（％）を測定した。測定されたＲ残率（％）に基づいて以下の評価基準で評価した。
＜評価基準＞
ＡＡ：Ｒ残率（％）が８０％以上、１００％以下である。
Ａ：Ｒ残率（％）が６０％以上、８０％未満である。
Ｂ：Ｒ残率（％）が４５％以上、６０％未満である。
Ｃ：Ｒ残率（％）が０％以上、４５％未満である。【００４８】
（２）スチーム環境下での圧縮永久歪み
スチーム環境下での圧縮永久歪み（％）を、ＪＩＳ  Ｋ６２６２：２０１３に準拠して測定した。試験環境は、湿度９５％のスチーム環境、試験温度は８０℃、試験時間は９６時間とした。測定された圧縮永久歪み（％）に基づいて以下の評価基準で評価した。
＜評価基準＞
ＡＡ：圧縮永久歪み（％）が０％以上、２５％以下である。
Ａ：圧縮永久歪み（％）が２５％超、２８％以下である。
Ｂ：圧縮永久歪み（％）が２８％超、３１％以下である。
Ｃ：圧縮永久歪み（％）が３１％超、１００％以下である。【００４９】
（３）スチーム環境下での硬さ変化防止
スチーム環境下での硬さ変化を、ＪＩＳ  Ｋ６２５８：２０１０に準拠して測定した。試験環境は、湿度９５％のスチーム環境、試験温度は８０℃、試験時間は１９２時間とした。測定された硬さ変化（Ｈｗ）（Ｐｏｉｎｔｓ）に基づいて以下の評価基準で評価した。
＜評価基準＞
ＡＡ：硬さ変化（Ｈｗ）（Ｐｏｉｎｔｓ）が±０である。
Ａ：硬さ変化（Ｈｗ）（Ｐｏｉｎｔｓ）が−５以上、−１以下である。
Ｂ：硬さ変化（Ｈｗ）（Ｐｏｉｎｔｓ）が＋１以上、＋５以下である。
Ｃ：硬さ変化（Ｈｗ）（Ｐｏｉｎｔｓ）が＋５超、＋１０以下である。【００５０】
（４）総合評価
上記（１）〜（３）の評価結果に基づいて以下の評価基準で総合評価を行った。
＜評価基準＞
ＡＡ：上記（１）〜（３）の評価がＡ以上のみである。
Ａ：上記（１）〜（３）の評価としてＡ以上を含み、Ｃを含まない。
Ｂ：上記（１）〜（３）の評価がＢのみである。
Ｃ：上記（１）〜（３）の評価としてＣを含む。【００５１】
以上の結果を表１に示す。【００５２】
（実施例２）
実施例１において、シリカ‐ケイ酸アルミニウムのビニルエトキシシラン反応物の配合量を１５重量部に代えたこと以外は、実施例１と同様にして各試験片を作製し、実施例１と同様にして評価した。結果を表１に示す。【００５３】
（実施例３）
実施例１において、シリカ‐ケイ酸アルミニウムのビニルエトキシシラン反応物の配合量を３０重量部に代えたこと以外は、実施例１と同様にして各試験片を作製し、実施例１と同様にして評価した。結果を表１に示す。【００５４】
（実施例４）
実施例３において、ＭＴカーボンブラックに代えて、ＦＥＦカーボンブラック（東海カーボン社製「シーストＧＳ−Ｏ」）２重量部を配合し、酸化亜鉛の配合を省略したこと以外は、実施例３と同様にして各試験片を作製し、実施例１と同様にして評価した。結果を表１に示す。【００５５】
（比較例１）
実施例１において、上記３元系フッ素ゴムポリマーＣに代えて、３元系フッ素ゴムポリマーＡ  ５０重量部、及び、上記３元系フッ素ゴムポリマーＢ  ５０重量部からなるポリマー１００重量部を用い、更に、シリカ‐ケイ酸アルミニウムのビニルエトキシシラン反応物の配合量を５重量部に代え、更に、ハイドロタルサイト（Ｍｇ４．３Ａｌ２（ＯＨ）１２．６ＣＯ３・ｍＨ２Ｏ）（協和化学工業社製「ＤＨＴ−４Ａ」）を３重量部と、酸化マグネシウム（協和化学工業社製「キョーワマグ１５０」）６重量部と、水酸化カルシウム（近江化学工業社製「ＣＡＬＤＩＣ  ２０００」）３重量部とを配合したこと以外は、実施例１と同様にして各試験片を作製し、実施例１と同様にして評価した。結果を表１に示す。【００５６】
（比較例２）
比較例１において、酸化マグネシウムの配合を省略したこと以外は、比較例１と同様にして各試験片を作製し、実施例１と同様にして評価した。結果を表１に示す。【００５７】
（比較例３）
比較例１において、ハイドロタルサイト、酸化マグネシウム及び水酸化カルシウムの配合を省略したこと以外は、比較例１と同様にして各試験片を作製し、実施例１と同様にして評価した。結果を表１に示す。【００５８】
（比較例４）
実施例１において、シリカ‐ケイ酸アルミニウムのビニルエトキシシラン反応物の配合量を５重量部に代えたこと以外は、実施例１と同様にして各試験片を作製し、実施例１と同様にして評価した。結果を表１に示す。【００５９】
【表１】
0006474054.tif 000002
【００６０】
＜評価＞
表１より、本発明の第１態様に係るフッ素ゴム組成物（実施例１〜４）によれば、スチーム環境下での圧縮永久歪みに優れ、スチーム環境下での硬さ変化が防止され、且つ接着性に優れる効果が得られることがわかる。【００６１】
これに対して、酸化マグネシウム、水酸化カルシウムを含有する比較例１、２では、スチーム環境下での圧縮永久歪みに劣り、スチーム環境下での硬さ変化を防止できないことがわかる。【００６２】
また、本発明の第１態様に係るフッ素ゴム組成物（実施例１〜４）と比較して、シリカ‐ケイ酸アルミニウムのビニルエトキシシラン反応物の含有量が８〜６０重量部の範囲ではない比較例３、４では、接着性に劣ることがわかる。【００６３】
以下は、第２態様に関する例証である。【００６４】
（実施例５）
下記３元系フッ素ゴムポリマーＡ  ５０重量部、及び、下記３元系フッ素ゴムポリマーＢ  ５０重量部からなるポリマー１００重量部に、シリカ‐ケイ酸アルミニウムのビニルエトキシシラン反応物（ホフマンミネラル社製「アクチジルＶＭ」）５重量部と、ハイドロタルサイト（Ｍｇ４．３Ａｌ２（ＯＨ）１２．６ＣＯ３・ｍＨ２Ｏ）（協和化学工業社製「ＤＨＴ−４Ａ」）６重量部、ＭＴカーボンブラック（ＣＡＮＣＡＲＢ  ＬＩＭＩＴＥＤ社製「ＴＨＥＲＭＡＸ  Ｎ−９９０ＬＳＲ」）３重量部、酸化亜鉛（ＪＩＳ規格「１種」該当品質）０．１重量部を配合し、更に、有機過酸化物架橋剤（２，５−ジメチル−２，５−ジ（ｔ−ブチルパーオキシ）ヘキサン）（日本油脂社製「パーヘキサ２５Ｂ−４０」）２重量部と共に所定の配合剤を配合して混練し、未架橋のフッ素ゴム組成物を得た。得られたフッ素ゴム組成物を用いて、実施例１と同様にして各試験片を作製し、実施例１と同様にして評価した。結果を表２に示す。【００６５】
・３元系フッ素ゴムポリマーＡ：フッ化ビニリデン、パーフルオロビニルエーテル、テトラフルオロエチレンから成る３元系フッ素ゴムポリマー；フッ素含有量６４重量％（デュポン社製「バイトンＧＬＴ６００Ｓ」）
・３元系フッ素ゴムポリマーＢ：フッ化ビニリデン、パーフルオロビニルエーテル、テトラフルオロエチレンから成る３元系フッ素ゴムポリマー；フッ素含有量６４重量％（デュポン社製「バイトンＧＴＬ２００Ｓ」）【００６６】
（実施例６）
実施例５において、ハイドロタルサイトの配合量を９重量部に代えたこと以外は、実施例５と同様にして各試験片を作製し、実施例１と同様にして評価した。結果を表２に示す。【００６７】
（比較例５）
実施例５において、ハイドロタルサイトの配合量を３重量部に代え、更に、酸化マグネシウム（協和化学工業社製「キョーワマグ１５０」）６重量部と、水酸化カルシウム（近江化学工業社製「ＣＡＬＤＩＣ  ２０００」）３重量部を配合したこと以外は、実施例５と同様にして各試験片を作製し、実施例１と同様にして評価した。結果を表２に示す。【００６８】
（比較例６）
実施例５において、ハイドロタルサイトの配合量を３重量部に代え、更に、水酸化カルシウム３重量部を配合したこと以外は、実施例５と同様にして各試験片を作製し、実施例１と同様にして評価した。結果を表２に示す。【００６９】
（比較例７）
実施例５において、ハイドロタルサイトの配合量を１２重量部に代えたこと以外は、実施例５と同様にして各試験片を作製し、実施例１と同様にして評価した。結果を表２に示す。【００７０】
【表２】
0006474054.tif 000003
【００７１】
＜評価＞
表２より、本発明の第２態様に係るフッ素ゴム組成物（実施例５、６）によれば、スチーム環境下での圧縮永久歪みに優れ、スチーム環境下での硬さ変化が防止され、且つ接着性に優れる効果が得られることがわかる。【００７２】
これに対して、酸化マグネシウム、水酸化カルシウムを含有する比較例５、６では、スチーム環境下での圧縮永久歪みに劣り、スチーム環境下での硬さ変化を防止できないことがわかる。【００７３】
また、本発明の第２態様に係るフッ素ゴム組成物（実施例５、６）と比較して、ハイドロタルサイトの含有量が０．５〜１０重量部の範囲ではない比較例７では、スチーム環境下での圧縮永久歪みに劣ることがわかる。
【要約】
本発明は、スチーム環境下での圧縮永久歪みに優れ、スチーム環境下での硬さ変化が防止され、且つ接着性に優れるフッ素ゴム組成物及びフッ素ゴム架橋体を提供することを課題とし、フッ化ビニリデン、パーフルオロビニルエーテル、テトラフルオロエチレンから成る３元系フッ素ゴムポリマーと、シリカ‐ケイ酸アルミニウムのビニルエトキシシラン反応物と、ハイドロタルサイトとを含有し、酸化マグネシウム及び水酸化カルシウムを実質的に含有せず、３元系フッ素ゴムポリマー１００重量部に対して、シリカ‐ケイ酸アルミニウムのビニルエトキシシラン反応物を２〜５５重量部、ハイドロタルサイトを０．５〜１０重量部含有することを特徴とするフッ素ゴム組成物により解決される。